(57)【要約】【課題】陰極片と陰極本体が接触不良により電流の流れが不安定になることを防止して、めっき不良が発生しない電気めっき用陰極治具及びそれを用いた電気めっき用ラックを提供する。【解決手段】ラック式のめっき装置に用いられる電気めっき用陰極治具４０を、陰極本体４１と、陰極本体４１から延設され被めっき物Ｗを掛止可能な陰極片４２と、陰極本体４１及び陰極片４２の少なくとも一部を覆う絶縁層４３と、を備える構成とし、陰極本体４１と、陰極片４２と、を一部材で形成する。【選択図】図２
2015221932.tif 000002
【特許請求の範囲】
【請求項１】
陰極本体と、前記陰極本体から延設され被めっき物を掛止可能な陰極片と、前記陰極本体及び前記陰極片の少なくとも一部を覆う絶縁層と、を備え、ラック式のめっき装置に用いられる電気めっき用陰極治具であって、
前記陰極本体と、前記陰極片と、が一部材で形成されていることを特徴とする電気めっき用陰極治具。
【請求項２】
前記陰極本体が、一定の厚みを有して長尺状に形成され、
前記陰極片は、前記陰極本体の短手方向に向かって延設され、前記陰極本体の厚さ方向からみて略一定の幅に形成され前記被めっき物を掛止するフック部と、前記陰極本体と前記フック部とを連結する基部と、を有し、
前記基部の前記陰極本体の厚さ方向からみた幅が、前記フック部の幅より大きく形成されていることを特徴とする請求項１記載の電気めっき用陰極治具。
【請求項３】
前記絶縁層が、前記基部の前記陰極本体側の少なくとも一部を覆っていることを特徴とする請求項２記載の電気めっき用陰極治具。
【請求項４】
陰極側のブスバーと接続される陰極側フレームを備え、
前記陰極側フレームには、請求項１、２又は３に記載の電気めっき用陰極治具が装着され、
前記陰極本体の両端部には、前記陰極側フレームに配設された取付部に取り付けられる被取付部が配設され、
前記陰極側フレームには、略Ｕ字状に形成され、前記被取付部を着脱可能に挟持する取付部が配設されていることを特徴とする電気めっき用ラック。
【請求項５】
貫通孔を有する円筒状の前記被めっき物をめっきするときに用いられるラックであって、
陰極側のブスバーと接続される陰極側フレームと、陽極側のブスバーと接続される補助陽極側フレームと、を備え、
前記陰極側フレームには、請求項２又は３に記載の電気めっき用陰極治具が装着され、
前記フック部は、前記被めっき物の前記貫通孔に挿入可能に形成され、
前記補助陽極側フレームには、補助陽極治具が装着され、
前記補助陽極治具は、補助陽極本体と、前記補助陽極本体から延設され前記被めっき物の前記貫通孔に、前記貫通孔の内周面に不接触状態で、挿入可能な補助陽極片と、を有していることを特徴とする電気めっき用ラック。
【発明の詳細な説明】
【技術分野】
【０００１】
本発明は、ラック式めっき装置に用いられる電気めっき用陰極治具及びそれを用いた電気めっき用ラックに関する。
【背景技術】
【０００２】
従来の電気めっき用陰極治具として、特許文献１に記載されるものがあった。これによれば、陰極となる主軸には、被めっき物が掛けられる枝骨が突設されるとともに、上端に鉤部が形成されていた。しかし、特許文献１には、主軸に対する枝骨の取り付けかたについて具体的には記載されていない。通常の電気めっき用陰極治具では、枝骨が主軸にボルト締めされ、その後、はんだ付けされて枝骨が主軸に取り付けられていた。
【先行技術文献】
【特許文献】
【０００３】
【特許文献１】実開平０３−４５９６８号公報
【発明の概要】
【発明が解決しようとする課題】
【０００４】
しかし、ボルト締めでは、ボルトの締め作業の終わりにボルトの回転とともに枝骨が回転しやすくなるので、枝骨の正確な位置決めが難しい。また、被めっき物の引っ掛け作業により、ボルトが緩んで枝骨の位置が変わり、隣接する被めっき物どうしが干渉するとともに、枝骨と主軸が接触不良により電流の流れが不安定になり、めっき不良が発生するとともに、多数の枝骨を取り付ける必要があるため製造工数がかかる。さらに、緩んできたボルトを増す締めして、枝骨の位置調整をする保全作業の負担が重いという問題があった。
【０００５】
本発明は、上述の課題を解決するものであり、枝骨（陰極片）と主軸（陰極本体）が接触不良により電流の流れが不安定になることを防止して、めっき不良が発生しないとともに、製造工数を削減及び保全作業の負担を軽減可能な電気めっき用陰極治具及びそれを用いた電気めっき用ラックを提供することを目的とする。
【課題を解決するための手段】
【０００６】
請求項１記載の発明では、陰極本体と、陰極本体から延設され被めっき物を掛止可能な陰極片と、陰極本体及び陰極片の少なくとも一部を覆う絶縁層と、を備え、ラック式のめっき装置に用いられる電気めっき用陰極治具であって、陰極本体と、陰極片と、が一部材で形成されている。
【０００７】
これによれば、一部材で陰極治具を形成しているので、ボルトが緩んできて陰極片の位置が変わり被めっき物どうしが干渉することがなくなるとともに、陰極本体と陰極片とが接触不良となることがなくなり、当該理由によるめっき不良が発生しないとともに、製造工数を削減及び保全作業の負担を軽減可能な電気めっき用陰極治具とすることができる。
【０００８】
また、陰極本体が、一定の厚みを有して長尺状に形成され、陰極片は、陰極本体の短手方向に向かって延設され、陰極本体の厚さ方向からみて略一定の幅に形成され被めっき物を掛止するフック部と、陰極本体とフック部とを連結する基部と、を有し、基部の陰極本体の厚さ方向からみた幅が、フック部の幅より大きく形成されている。
【０００９】
これによれば、陰極片の陰極本体に近い側の強度を強くして、作業時に被めっき物との接触等で陰極片が大きく変形することを抑制することができる。
【００１０】
また、陰極片の絶縁層が覆う部分と覆わない部分の境界部分は、電気めっきによる電蝕により破損しやすくなるので、絶縁層が、基部の陰極本体側の少なくとも一部を覆う構成とし、断面積が大きく形成されることになる陰極片の基部の部分に絶縁層が覆う部分と覆わない部分の境界部分を位置させることで、電気めっき用陰極治具の交換頻度を少なくすることができる。
【００１１】
また、陰極側のブスバーと接続される陰極側フレームを備え、陰極側フレームには、請求項１、２又は３に記載の電気めっき用陰極治具が装着され、陰極本体の両端部には、陰極側フレームに配設された取付部に取り付けられる被取付部が配設され、陰極側フレームには、略Ｕ字状に形成され、被取付部を着脱可能に挟持する取付部が配設されている。
【００１２】
これによれば、陰極本体を取り外して、被めっき物を一回の作業で取り外すことが可能となり、生産効率を高めることができる。
【００１３】
また、貫通孔を有する円筒状の被めっき物をめっきするときに用いられるラックであって、陰極側のブスバーと接続される陰極側フレームと、陽極側のブスバーと接続される補助陽極側フレームと、を備え、陰極側フレームには、請求項１、２又は３に記載の電気めっき用陰極治具が装着され、フック部は、被めっき物の貫通孔に挿入可能に形成され、補助陽極側フレームには、補助陽極治具が装着され、
補助陽極治具は、補助陽極本体と、補助陽極本体から延設され被めっき物の貫通孔に、貫通孔の内周面に不接触状態で、挿入可能な補助陽極片と、を有している。
【００１４】
これによれば、補助陽極片を被めっき物の貫通孔に、貫通孔の内周面に不接触状態で、挿入可能となるので、円筒状の被めっき物をめっきするときに、好適な電気めっき用ラックとすることができる。
【図面の簡単な説明】
【００１５】
【図１】本発明の第一の実施形態の電気めっき用ラックを示す斜視図である。
【図２】同実施形態の電気めっき用陰極治具の正面図である。
【図３】（ａ）、（ｂ）、（ｃ）は、電気めっき用陰極治具の基部の変形例を示す部分拡大正面図である。
【図４】本発明の第二の実施形態の電気めっき用ラックを示す斜視図である。
【図５】同実施形態の電気めっき用陰極治具及び補助陽極治具の正面図である。
【発明を実施するための形態】
【００１６】
本発明の電気めっき用ラックの第一の実施形態を図面に基づいて説明する。以下の説明では、各図面の矢印の、Ｆを前、Ｂを後ろ、Ｒを右、Ｌを左、Ｕを上、Ｄを下、とする。
【００１７】
電気めっき用ラック１０は、図１、２に示すように、概略的には、ラック式のめっき装置に適用されるものであって、陰極側フレーム２０と、陰極側フレーム２０に装着される電気めっき用陰極治具４０と、を備え、被めっき物Ｗを電気めっき用陰極治具４０に引っ掛けてめっき浴槽に浸漬し、めっき加工するときに用いられるものである。
【００１８】
陰極側フレーム２０は、導電性を有する金属で、縦柱部２１と、横柱部２２と、を有して矩形枠状に形成されている。
【００１９】
上側の縦柱部２１の左右方向における両端部には、陰極側フレーム２０に上部の中央部に図示しない陰極側のブスバーに吊り下げ可能に形成された吊り下げ部２３がそれぞれ配設されている。
【００２０】
縦柱部２１、２１には、前後方向に沿って延びるアーム部２４が、上下方向に複数段配設されている。なお、図１においては、見やすくするため最上段と最下段以外のアーム部２４は省略している。アーム部２４の自由端側には、電気めっき用陰極治具４０を着脱可能に挟持する取付部２４ａが配設されている。
【００２１】
取付部２４ａは、左右方向からみて、上側が開口した略Ｕ字状に形成され、電気めっき用陰極治具４０を着脱可能とするとともに、前後方向から後述する電気めっき用陰極治具４０の被取付部４１ａを挟持可能とされている。
【００２２】
陰極側フレーム２０は、吊り下げ部２３と、取付部２４ａと、を除く部分に図示しない絶縁塗装が施され、吊り下げ部２３において陰極側のブスバーと導電化可能とされ、取付部２４ａにおいて電気めっき用陰極治具４０と導電可能とされている。
【００２３】
電気めっき用陰極治具４０は、図２に示すように、陰極本体４１と、陰極片４２と、絶縁層４３と、を備え、陰極本体４１と、陰極片４２と、が導電性を有する金属により、一部材で連設されて形成されている。
【００２４】
陰極本体４１は、前後方向における厚みが一定で長尺状に形成され、陰極本体４１の両端部には、陰極側フレーム２０に配設された取付部２４ａに着脱可能に取り付けられる被取付部４１ａが配設されている。
【００２５】
陰極片４２は、陰極本体４１の下方向（短手方向）に向かって延設され、被めっき物Ｗを掛止するフック部４２ａと、陰極本体４１とフック部４２ａとを連結する基部４２ｂと、を有している。
【００２６】
フック部４２ａは、断面形状が矩形状に形成され、基部４２ｂから左斜め下方に延びた後、二か所に屈曲部分を有して、右斜め上方が開放して、被めっき物Ｗを掛止可能に形成されている。フック部４２ａは、前後（陰極本体４１の厚さ方向）方向からみた幅Ｌ１が、略同一となるように形成されているとともに、基部４２ｂの前後方向（陰極本体４１の厚さ）からみた幅Ｌ２より小さく形成されている。
【００２７】
基部４２ｂは、上端から下端に向かうにつれて左右方向の長さが狭小となるように形成されている。基部４２ｂの前後方向（陰極本体４１の厚さ）からみた幅Ｌ２が、フック部４２ａ前後方向からみた幅Ｌ１より大きく形成されている。図２では、見やすくするため基部４２ｂ中央下部のＬ２を示しているが、一番幅が狭い部分でも、フック部４２ａ前後方向からみた幅Ｌ１より大きく形成されている。
【００２８】
絶縁層４３は、電気めっき用陰極治具４０の、陰極本体４１の被取付部４１ａと、基部４２ｂの下側の部分を除く、陰極本体４１、及び陰極片４２に、絶縁塗装が施されて構成されている。
【００２９】
本実施形態では、絶縁層４３は、基部４２ｂの上下方向における中央より下付近まで覆っている。
【００３０】
電気めっき用ラック１０の使用態様を説明する。陰極側フレーム２０のアーム部２４の取付部２４ａで、電気めっき用陰極治具４０の陰極本体４１の左右の端部にある被取付部４１ａを挟持して、陰極側フレーム２０に電気めっき用陰極治具４０を取り付けた状態にしておく。
【００３１】
そして、被めっき物Ｗをフック部４２ａに掛止する。電気めっき用ラック１０に掛止された被めっき物Ｗは、めっき浴槽に送られて、めっき浴槽内において浸漬され、電気めっき加工が行われる。電気めっき用ラック１０がめっき浴槽から送り出されると、陰極側フレーム２０から電気めっき用陰極治具４０を取り外し、さらに、電気めっき用陰極治具４０から被めっき物Ｗを取り外す。つまり、被めっき物Ｗを一回の作業で電気めっき用陰極治具４０から取り外すことが可能となる。
【００３２】
上記構成の電気めっき用陰極治具４０では、陰極本体４１と、陰極本体４１から延設され被めっき物Ｗを掛止可能な陰極片４２と、陰極本体４１及び陰極片４２の少なくとも一部を覆う絶縁層４３と、を備え、ラック式のめっき装置に用いられる電気めっき用陰極治具であって、陰極本体４１と、陰極片４２と、が一部材で形成されている。
【００３３】
これによれば、一部材で電気めっき用陰極治具４０を形成しているので、ボルトが緩んできて陰極片４２の位置が変わり被めっき物Ｗどうしが干渉することがなくなるとともに、陰極本体４１と陰極片４２とが接触不良となることがなくなり、当該理由によるめっき不良が発生しないとともに、製造工数を削減及び保全作業の負担を軽減可能な電気めっき用陰極治具とすることができる。
【００３４】
また、陰極本体４１が、一定の厚みを有して長尺状に形成され、陰極片４２は、陰極本体４１の短手方向に向かって延設され、陰極本体４１の前後（厚さ）方向からみて略一定の幅に形成され被めっき物Ｗを掛止するフック部４２ａと、陰極本体４１とフック部４２ａとを連結する基部４２ｂと、を有し、基部４２ｂの陰極本体４１の前後（厚さ）方向からみた幅Ｌ２が、フック部４２ａの幅Ｌ１より大きく形成されている。
【００３５】
これによれば、陰極片４２の陰極本体４１に近い側の強度を強くして、作業時に被めっき物Ｗとの接触等で陰極片４２が大きく変形することを抑制することができる。
【００３６】
また、陰極片４２の絶縁層４３が覆う部分と覆わない部分の境界部分は、電気めっきによる電蝕により破損しやすくなるので、絶縁層４３が、基部４２ｂの陰極本体４１側の少なくとも一部を覆う構成とし、断面積が大きく形成されることになる陰極片４２の基部４２ｂの部分に絶縁層４３が覆う部分と覆わない部分の境界部分を位置させることで、電気めっき用陰極治具４０の交換頻度を少なくすることができる。
【００３７】
また、陰極側のブスバーと接続される陰極側フレーム２０を備え、陰極側フレーム２０には、電気めっき用陰極治具４０が装着され、陰極本体４１の両端部には、陰極側フレーム２０に配設された取付部２４ａに取り付けられる被取付部４１ａが配設され、陰極側フレーム２０には、略Ｕ字状に形成され、被取付部４１ａを着脱可能に挟持する取付部２４ａが配設されている電気めっき用ラック１０としている。
【００３８】
これによれば、陰極本体４１を取り外して、被めっき物Ｗを一回の作業で電気めっき用ラック１０から取り外すことが可能となり、生産効率を高めることができる。
【００３９】
本発明の第二の実施形態を図４、５に基づいて説明をする。電気めっき用ラック１０と共通する構成については、同一符号を付してそれらの説明の全部又は一部を省略する。
【００４０】
電気めっき用ラック１０Ａは、貫通孔Ｗ１を有する円筒状の被めっき物Ｗをめっきするときに適用されるラックである。
【００４１】
電気めっき用ラック１０Ａは、陰極側のブスバーと接続される陰極側フレーム２０と、図示しない陽極側のブスバーと接続される補助陽極側フレーム３０と、を備えている。
【００４２】
補助陽極側フレーム３０は、導電性を有する金属で、縦柱部３１と、横柱部３２と、を有して下側が開口した略コの字枠状に形成されている。
【００４３】
上側の縦柱部３１の中央部には、陽極側のブスバーに吊り下げ可能に形成された吊り下げ部３３が配設されている。
【００４４】
縦柱部３１には、前後方向に沿って延びるアーム部３４が、上下方向に複数段配設されている。なお、図４においては、見やすくするため最上段と最下段以外のアーム部３４は省略している。アーム部３４の自由端側には、補助陽極治具５０を着脱可能に挟持する取付部３４ａが配設されている。取付部３４ａは、矩形平板状に形成され、左側のアーム部３４では右側に、右側のアーム部３４では左側に、延設され、図示しない貫通孔が形成されて、ボルトナット締めにより、補助陽極治具５０を取り付け可能とされている。
【００４５】
補助陽極側フレーム３０は、吊り下げ部３３と、取付部３４ａと、を除く部分に絶縁塗装が施され、吊り下げ部３３において陽極側のブスバーに導電可能とされ、取付部３４ａにおいて補助陽極治具５０と導電可能とされている。
【００４６】
電気めっき用ラック１０Ａは、陰極側フレーム２０の外側に補助陽極側フレーム３０を、重ね合わせて配置して、バンド等で固定して、略矩形枠状に一体構成されている。
【００４７】
補助陽極側フレーム３０には、補助陽極治具５０が装着されている。補助陽極治具５０は、図５に示すように、補助陽極本体５１と、補助陽極片５２と、を備え、補助陽極本体５１と、補助陽極片５２と、が導電性を有する金属により、一部材で連設されて形成されている。
【００４８】
補助陽極本体５１は、前後方向の厚みが一定で左右方向に長い長尺板状に形成され、補助陽極本体５１の両端部には、補助陽極側フレーム３０に配設された取付部３４ａに取り付けられる被取付部５１ａが配設されている。
【００４９】
補助陽極片５２は、長尺板状に形成され、補助陽極本体５１から右斜め上方に延設されている。
【００５０】
補助陽極片５２は、図４（ａ）の丸内、（ｂ）に示すように、補助陽極側フレーム３０に取り付けられた状態において、フック部４２ａの被めっき物Ｗが引っ掛けられて接触する部分と略平行となるように設定され、被めっき物Ｗの貫通孔Ｗ１に、貫通孔Ｗ１の内周面に不接触状態で、挿入可能とされている。
【００５１】
上記構成の電気めっき用ラック１０Ａによれば、補助陽極片５２を被めっき物Ｗの貫通孔Ｗ１に、貫通孔Ｗ１の内周面に不接触状態で、挿入可能となるので、円筒状の被めっき物Ｗをめっきするときに、好適な電気めっき用ラックとすることができる。
【００５２】
本発明の電気めっき用ラックは、上記構成に限定されるものではない。即ち、本発明の要旨を逸脱しない限り各種の設計変更等が可能である。
【００５３】
例えば、基部４２ｂは、前後方向からみた幅Ｌ２を、フック部４２ａの幅Ｌ１より大きく形成できるのであれば、図３の、（ａ）のように矩形状に形成したり、（ｂ）のように半円形状に形成したり、（ｃ）のようにホームベース形状に形成したりすることができる。
【００５４】
フック部４２ａは、断面形状が矩形状としているが、被めっき物Ｗとの接触面積を少なくするため面取り加工を施すのが望ましい。
【符号の説明】
【００５５】
１０  電気めっき用ラック
１０Ａ  電気めっき用ラック
２０  陰極側フレーム
２１  縦柱部
２２  横柱部
２３  吊り下げ部
２４  アーム部
２４ａ  取付部
３０  補助陽極側フレーム
３１  縦柱部
３２  横柱部
３３  吊り下げ部
３４  アーム部
３４ａ  取付部
４０  電気めっき用陰極治具
４１  陰極本体
４１ａ  被取付部
４２  陰極片
４２ａ  フック部
４２ｂ  基部
４３  絶縁層
５０  補助陽極治具
５１  補助陽極本体
５１ａ  被取付部
５２  補助陽極片
幅  Ｌ１
幅  Ｌ２
Ｗ  被めっき物
Ｗ１  貫通孔
【図１】
2015221932.tif 000003
【図２】
2015221932.tif 000004
【図３】
2015221932.tif 000005
【図４】
2015221932.tif 000006
【図５】
2015221932.tif 000007